(57)【特許請求の範囲】
【請求項１】
円盤状記録媒体を内包し、記録又は再生ピックアップが内包された記録媒体に近接するための開孔と、該開孔を覆って開閉するシャッタを有するカートリッジと、円盤状記録媒体のみの両方を装填可能で記録又は再生するディスク装置において、
記録媒体が載置され、記録媒体の交換位置と記録又は再生される位置との間で移動可能なトレイと、
前記トレイに回動可能に設けられ、前記カートリッジを支持するカートリッジホルダと、
前記トレイに設けられ前記記録媒体が載置されるターンテーブルと、
前記ターンテーブルに載置された記録媒体をクランプするクランパと、
前記クランパを支持し、クランプ位置と非クランプ位置との間を移動するクランパ保持手段と、
前記カートリッジホルダに回動自在に配され、前記ホルダにカートリッジが挿入されることにより、前記シャッタと係合し、回動してシャッタを開方向に移動するシャッタレバーと、
前記カートリッジホルダの回動により前記シャッタレバーを退避位置に回動させるシャッタレバー逃し機構を有することを特徴とする記録媒体装着装置。
【発明の詳細な説明】
【０００１】
【発明の属する技術分野】
本発明は、ディスク装置に係り、特に、カートリッジに内包された円盤状記録媒体と、円盤状記録媒体のみの両方を装填可能なディスク装置に関する。本発明は、カートリッジを持たない円盤状の記録媒体のみを装填して、記録又は再生する場合、カートリッジが装填される場合に必要となるカートリッジのシャッタ開閉用のアームが、邪魔とならないように、記録媒体のクランプ機構の作動に連動させて退避させるようにしたことを特徴とする。
【０００２】
【従来の技術】
円盤状の記録媒体であるディスクが装填されて記録又は再生を行うディスク装置において、従来より、デスクトップ型のパーソナルコンピュータ用のディスク装置においては、記録媒体を自動的に装填及び排出を行うようにするのが一般的である。しかしながら、ノート型パーソナルコンピュータ用のディスク装置においては、自動装填や排出を行うための機構を設けると装置が大型になり、そのような機構は設けないことが一般的である。
【０００３】
【発明が解決しようとする課題】
ところで、ディスクが内包されたカートリッジと、ディスク単体の両方を装填できるディスク装置においては、カートリッジのシャッタを開方向に移動するためのシャッタ開閉アームを、単体のディスクを装填するとき、邪魔にならないようにディスクの上面から移動しなければならい。この時、デスクトップ型用のディスク装置であれば、自動装填や排出の機構と連動させてアームを移動する機構を設けることが可能であるが、ノート型用のディスク装置においては、そのような機構がないため、その機構を設けることができなかった。
【０００４】
本発明はそのような問題を解決することを目的してなされたもので、ディスクが内包されたカートリッジと、ディスク単体の両方を装填できるディスク装置において、ディスク単体を装填して使用する場合、カートリッジ用のために設けたシャッタ開閉アームを邪魔とならない位置に、ディスクのクランプするためのクランパがディスクをクランプしたとき、ディスク上の位置から退避させるようにしたものである。
【０００５】
【課題を解決するための手段】
上記課題は本発明の以下の手段により解決される。
本発明は、円盤状記録媒体を内包し、記録又は再生ピックアップが内包された記録媒体に近接するための開孔と、該開孔を覆って開閉するシャッタを有するカートリッジと、円盤状記録媒体のみの両方を装填可能で記録又は再生するディスク装置において、
記録媒体が載置され、記録媒体の交換位置と記録又は再生される位置との間で移動可能なトレイと、
前記トレイに回動可能に設けられ、前記カートリッジを支持するカートリッジホルダと、
前記トレイに設けられ前記記録媒体が載置されるターンテーブルと、
前記ターンテーブルに載置された記録媒体をクランプするクランパと、
前記クランパを支持し、クランプ位置と非クランプ位置との間を移動するクランパ保持手段と、
前記カートリッジホルダに回動自在に配され、前記ホルダにカートリッジが挿入されることにより、前記シャッタと係合し、回動してシャッタを開方向に移動するシャッタレバーと、
前記カートリッジホルダの回動により前記シャッタレバーを退避位置に回動させるシャッタレバー逃し機構を有することを特徴とする。
【０００８】
本発明は、トレイがディスク装填位置に移動する際、カートリッジホルダを下方に回動し、このカートリッジホルダの回動運動がシャッタレバー逃し機構を駆動してシャッタレバーを邪魔とならない位置に退避させる。
【０００９】
【発明の実施の形態】
次に、本発明の実施の形態について図面と共に説明する。
図１は、本発明の記録媒体装着装置の一実施例であるディスク装置の概略構造を示す。ディスク装置１は、例えばノート型パソコン等のパーソナルコンピュータ等に組み込まれた記憶装置として使用され、円盤状（ディスク状）の記録媒体が装着されて記録又は再生を行うものである。本実施例のディスク１は、装着されるディスクが、ＣＤ−ＲＯＭ等のディスクのみのディスク単体の場合と、ＰＤ用ディスクカートッリジ、ＤＶＤ用ディスクカートリッジ等、ディスクがカートリッジに収容されるタイプのディスクカートリジとの両方に対応可能となっている。  ディスク１は、フレーム２、フレーム２に対し引き出し可能なディスクの載置面を有するトレイ３、トレイ３に回動可能に取り付けられたカートリッジホルダ６、トレイ１の上面において、トレイに載置されたディスクをクランプするクランパ５を保持するクランパレバー４を備えている。トレイ３には、ディスクが装着され、モータにより回転されるターンテーブル７、ディスクに記録された情報を読み取るためのピックアップ８が設けられている。
【００１０】
フレーム２の両側面部２ａの下方には、Ａ−Ｂ方向に移動に設けられたスライドレール９が設けられ、トレイ３はスライドレール９に対して同じくＡ−Ｂ方向に移動可能に係合支持され、これにより、フレーム２に対して、図１に示す、ディスクの載置・取出し可能な位置まで引き出し可能とされている。また、フレーム２の両側面２ａの上部には、図２に説明するクランパレバー案内部材１０ａ，１０ｂが取り付けられている。
【００１１】
図２は、クランパ案内部材１０ａ，１０ｂを示し、（ａ）は、結合された左右のクランパ案内部材１０ａ，１０ｂの斜視図を、（ｂ）はクランパ案内部材１０ａの左右側面図、平面図及び正面図を、（ｃ）クランパ案内部材１０ｂの左右側面図、平面図及び正面図を示す。クランパ案内部材１０ａ，１０ｂは、後に詳述するクランパ４の移動を規制するものであり、クランパ案内部材１０ａは断面コ字形をなし、フレーム２の左右の両側面部材２ａの上縁に挿入されて取り付けられる。そして、フレームの内側に面する側面にはカム溝１０ｃが形成されている。また、クランパ案内部材１０ｂは、クランパ案内部材１０ａの上部に内側に張り出すように取り付けられた板部材であり、規制面１０ｄを持つ。
【００１２】
本実施例のディスク１は、ディスク単体の記録媒体を使用する場合は、ディスクを直接ターンテーブル７に装着し、カートリッジ入りディスク（カートリッジ内包ディスク）を使用する場合は、カートリッジをカートリッジホルダ６に挿入、装着して使用する。そして、トレイ３の引き出し位置においてターンテーブル７上に直接載置されて装着されたディスク単体、あるいは、カートリッジホルダ６に挿入して装着したカートリッジ内包ディスクは、トレイ３がフレーム２内にＢ方向に押し込まれて収容される動きに連動してカートリッジホルダ６及びクランプレバー４が下降し、クランパ５が、ターンテーブル７上のディスク単体あるいはカートリッジ内のディスクをターンテブル７のスピンドルに対してクランプするようにされている。
【００１３】
以下、トレイ３、クランパ４及びカートリッジホルダ６の関連構成について述べる。図３は、トレイ３を示し、ターンテーブル、ピックアップ等の所謂ディスクドライブ機構は省略して示している。トレイ３の両縁部にはカム板１１が立設されている。カム板１１には前方から後方に向けて高くなるように傾斜したカム溝１２が形成されている。また、トレイ３の両側後端には、後述するカートリッジホルダ６を枢支する軸受け１３が形成される。
【００１４】
図４は、クランパレバー４を示し、（ａ）は平面図、（ｂ）は側面図、（ｃ）は斜視図を示す。クランパレバー４は中央にクランパ５を有し、両側部にカム板１５が垂下するように設けられる。カム板１５は、前方から後方に向けて高くなるように傾斜したカム溝１６と、後方上縁に横方向に突出して設けられた係合ピン１７、１９と、中央下方に横方向に突出して設けられた係合ピン１８を有している。
【００１５】
図５は、カートリジホルダ６を示す。カートリジホルダ６は、薄い箱型をなし、図６に例示するカートリッジ３０が挿入される開口部２１を有する。カートリッジホルダ６の左右の側面部２２の前方には、係合ピン２３が設けられ、また後端に軸受孔２４が形成されている。またカートリッジホルダ６の天板２５には後述するシャッタレバーをガイドするガイド溝２６が形成されている。
【００１６】
図６は、本実施例のディスク装置１が使用対象としているディスクカートリッジの一例を示す。ディスクカートリッジ３０は、箱状に形成されたケース３１内にディスク３２が収納されており、ケース３１の上下面にはディスク３２を露出させて光ピックアップによる書込み又は読出しを可能とするための長方形の開孔３３が形成されている。そして、ケースの上下面に形成された開孔３３には、これを開閉するシャッタ３４がＧ−Ｈ方向に摺動自在に取り付けられている。これにより、カートリッジ３０がカートリッジホルダ６に挿入されるとき、カートリッジホルダ６に設けられているシャッタレバー２８の先端部（図１参照）とシャッタ３４の係合部３４ａと係合し、カートリッジ３０が挿入されるにつれて、シャッタ３４がＧ方向に摺動する。
【００１７】
次に、以上からなる、各構成要素の組立て構造について再度図１を参照しつつ説明する。
図５に示したカートリッジホルダ６は、その後端の軸受孔２４において、トレイ３の軸受け１３に挿通されるピンにより回動自在に枢支されて取り付けられる。  また、カートリッジホルダ６の上部には図３に示したクランパレバー４が配設される。なお、このとき、カートリッジホルダ６の左右の側面部２２の前方に設けられた係合ピン２３は、クランパレバー４に形成されているカム溝１６に係合している。
【００１８】
クランパレバー４は、その係合ピン１８がトレイ３のカム板１１のカム溝１２に係合するとともに、係合ピン１７がフレームの側面部２ａに設けられたクランパレバー案内部材１０ａのカム溝１０ｃに係合し、係合ピン１９はクランプレバー案内部材１０ｂの規制面１０ｄに係合するようにして取り付けられる。したがって、クランパレバー４は、トレイ３に対しては、係合ピン１８がトレイのカム板１１のカム溝１２に係合する範囲において前後（Ａ−Ｂ方向）に移動可能であり、フレーム２に対してはクランパ案内部材１０ａ，１０ｂに係合する範囲においてトレイ３の移動に伴って移動可能である。
【００１９】
以上の構成において、トレイ３のディスク取出し位置（イジェクト位置）とディスクの記録再生時における装填位置の間の移動に伴って行われるクランパレバー４及びカートリッジホルダ６の運動について、図７を参照にして説明する。図７は、ディスクのローディング状態（ａ）からイジェクト完了状態（ｄ）までの過程を示す。
【００２０】
先ずディスクのローディング状態（ａ）においては、トレイ３がフレームに完全に収容された位置にある。このとき、クランパレバー４の係合ピン１８が、トレイ３のカム板１１のカム溝１２の最下点（Ｄ点）に位置する。また、クランパレバー４は、その係合ピン１７とクランパレバー案内部材１０ａのカム溝１０ｃに規制され、係合ピン１７は、カム溝１０ｃの後端部に位置しＢ方向の移動は規制される。また、係合ピン１８はトレイ３のカム板１１のカム溝１２により規制され、クランパレバー４はクランパ５がディスク（図示せず）の回転軸ををタンテーブル７のスピンドルにクランプする略水平位置となる。なお、この時、クランパレバー４の係合ピン１９はクランパレバー案内部材１０ｂの規制面に当接し、カートリッジをトレイ３のロケイションピン１４に押し当てる位置規制が行われるようにしている。また、カセットホルダ６は、トレイを引き出すイジェクト開始時（ｂ）は、操作ボタン１９の操作によるスイッチ信号によりトレイの収納位置でのロック機構（図示せず）が解除され、トレイ３が引き出し可能となり、引き出される。このとき、クランパレバー４の係合ピン１７がクランパレバー案内部材１０ａのカム溝１０ｃの前側端部によって規制されて止められるが、係合ピン１８がトレイ３のカム板１１のカム溝１２により持ち上げられる。これにより、クランパ５はターンテーブル７より引き離される。
【００２１】
さらに、トレイ３が所定量引き出されると（ｃ）、クランパレバー４は、Ａ方向には移動せず、上方に回動されることとなるが、トレイ３に固定されているカセットルダ６は、その係合ピン２３がクランパレバー６の側面のカム溝１６と係合しているため、カム溝１６に沿って上方に回動し始める。
そして、トレイ３の引き出し最終位置（ｄ）、即ちイジェクト完了状態において、クランパレバー４の係合ピンはトレイ３のカム溝１２の最上点（Ｃ点）に位置し、カートリッジホルダ６の係合ピン２３は、クランパレバー４の側面のカム溝１６の最上点（Ｅ点）に位置して、両者は上方に傾斜した状態となる。
【００２２】
以上、トレイ３のディスクローディング状態（ａ）からイジェクト完了状態に引き出される過程のクランパレバー４とカセットホルダ６の関連動作について説明したが、トレイ３をフレーム２内に押し込めてイジェクト状態からローディング状態にする過程においては、上記の作動は逆となる。
これまで、トレイ３の移動と、クランパレバー４、カートリッジホルダ６に関連動作について説明したが、前述のとおり、カートリジホルダ６にはディスクカートリッジのシャッタを開閉するためのシャッタレバー２８を有している。このシャッタレバー２８をディスク装置１にディスクカートリッジが装着されて使用される場合には、例えば、図６に示したディスクカートリッジ３０がカートリッジホルダ６に挿入されるとシャッタレバー２８はカートリッジ３１に押されてシャッタを開方向に移動させながら後方に回動する。しかしながら、ディスク装置１にカートリッジを持たないディスク単体がターンテーブル７に載置されて使用される場合には、トレイ３がディスクの装填位置に収納されるときに下降するクランパレバー４の移動の邪魔となる。そこで、本実施例のディスク装置１においては、カートリッジが装着されない場合においても、トレイ３がディスクローディング位置に収納されるとき、シャッタレバー２８をを動作の邪魔とならない位置に退避するためのシャッタレバー逃し機構４０を設けている。以下、図８及び図９を参照にしてシャッタレバー逃し機構４０を説明する。図８はイジェクト時の状態で（ａ）は側面図、（ｂ）平面図を、、図９はローディング時の状態で（ａ）は側面図を、（ｂ）は平面図を示す。
【００２３】
シャッタレバー逃し機構４０は、カセットホルダ６の側方下部に設けられたギヤ４１、ギヤ４１に噛合し、トレイ（図示ぜず）に軸支されたセクタギア４２、セクタギア４２の回動により駆動され、トレイに対してＡ−Ｂ方向に摺動可能に設けられたラック４３ａを有するラックレバー４３、ラックレバー４３の端部に立設して固定されたロッド４４、一端がロッド４４に枢着され軸４５に回動自在に軸支された第１のレバー４６、一端が第１のレバー４６の他端に枢着され、軸４７に回動自在に軸支された第２のレバー４８により構成される。
【００２４】
なお、カセットホルダ６に取り付けられたシャッタレバー２８は、カセットホルダ６の後部において軸２８ｂにより枢着され、さらに後方に延長して係合部２８ｄを有する。シャッタレバー２８はまた、ばね２８ｃにより常に矢印Ｅ方向に付勢されている。また、カセットホルダ６は前述したように、トレイ３に対して軸Ｓを中心に上下（矢印Ｃ−Ｄ）回動可能に固定されているものである。
【００２５】
図８のイジェクト時において、トレイ３が収納方向（矢印Ｂ方向）に移動するに伴い、カセットホルダ６が下方（矢印Ｄ方向）に移動（下降）する。このとき、カセットホルダ６のギヤ４１の下降によりセクタギヤ４２は回動し、このセクタギヤ４２の回動によりセクタギヤ４２とラック４３ａにより噛合するラックレバー４３は矢印Ａ方向に摺動する。すると、ラックレバー４３の先端に固定されたロッド４４にＡ方向の移動によりその先端に枢着して連結されている第１のレバー４６が軸４５を中心に、図中、反時計方向に回動する。そして第１のレバー４６に連結された第２のレバー４８は軸４７を中心に時計方向に回動する。すると、第２のレバー４８の先端の鉤部４８ａがシャッタレバー２８の延長部である係合部２８ｄと係合し、シャッタレバー２８を反時計方向にばね２８ｃの付勢に抗して回動させる。
【００２６】
図９は、トレイ３がローディング位置に収納され、カートリッジホルダ６が最下方に回動した状態を示す。この状態においてシャッタレバー２８は図中Ｐ1 で示す位置まで回動させられる。即ち、シャッタレバー２８は、カートリッジホルダ６にカートリッジが装着されるか否かによらず、あるいは、ターンテーブルにディスクが装着されるか否かによらず、トレイ３が収納位置、すなわち、ローディング位置に収納された状態においては、クランパレバー４の下降運動に連動し、したがって、カセットホルダの下降運動に連動して後方に退避させられる。  したがって、ディスク単体を装着して使用する場合においても、シャッタレバー２８はディスク上面より退避させられ、記録再生に支障になることはない。
【００２７】
なお、カートリッジがカートリッジホルダ６に装着される場合は、シャッタレバー２８は、カートリッジの装着により、事前に図９もＰ2 に示す位置に移動させられていることになる。
以上にように、本実施例のディスク装置１によれば、カートリッジ内包のディスク及びディスク単体の両方を装着して記録又は再生を行うディスク装置において、カートリッジホルダに設けられいるシャッタ開閉用のシャッタレバーを、ディスク単体を装着した場合にもおいても、ディスクの上面から退避位置に移動させるシャッタレバー逃し機構を設けているため、ディスク単体を装着して使用する場合にあってもシャッタレバーがディスクをクランプする際や、ディスクの記録又は再生を行う場合の動作に支障となることがない。
【００２８】
また、ディスク１は、ノート型パーソナルコンピュータに組み込まれるような薄型化が要請され、ディスクが載置されるトレイを手動で出し入れするようなディスク装置において、シャッタレバーを移動させるための駆動機構を特別に設けることなく、トレイの移動に伴って作動するクランパレバー及びカートリッジホルダの運動によって駆動されるシャッタレバー逃し機構を設けているため、確実にシャッタレバーを退避させることができる。また、シャッタレバー逃し機構は、カセットホルダの回動運動によってギア機構を介して駆動するようにしたものであり、簡単で、しかも高さを必要としない要素で構成することができ、装置の軽量、薄型化に資することができる。
【００２９】
【発明の効果】
上述の如く、本発明によれば、カートリッジホルダの回動運動を利用してシャッタレバー逃し機構を駆動するため、簡単な機構で、確実にシャッタレバーを邪魔とならない位置に退避させることができる。
【図面の簡単な説明】
【図１】本発明の実施例に係るディスク装置を示す図である。
【図２】クランパレバー案内部材を示す図である。
【図３】トレイを示す図である。
【図４】クランパレバーを示す図である。
【図５】カートリッジホルダを示す図である。
【図６】ディスクカートリッジを示す図である。
【図７】トレイの移動とクランパレバー及びカセットホルダの動作を説明するための図である。
【図８】シャッタレバー逃し機構のエジェクト時の状態を説明する図である。
【図９】シャッタレバー逃し機構のローディング時の状態を説明する図である。
【符号の説明】
１    ディスク装置
２    フレーム
３    トレイ
４    クランパレバー
５    クランパ
６    カートリッジホルダ
７    ターンテーブル
８    ピックアップ
９    スライドレール
１１  カム板
１２  カム溝
１５  カム板
１６  カム溝
１７、１８、１９  係合ピン
２３  係合ピン
２４  軸孔
２６  シャッタレバー案内溝
２８  シャッタレバー
３０  ディスクカートリッジ
３１  カートリッジ
３２  ディスク
３３  シャッタ
４０  シャッタレバー逃し機構
４１  ギア
４２  セクタギア
４３  ラックレバー
４４  ロッド
４６  第１のレバー
４８  第２レバー
【図１】
0003728970.tif 000002
【図２】
0003728970.tif 000003
【図３】
0003728970.tif 000004
【図４】
0003728970.tif 000005
【図５】
0003728970.tif 000006
【図６】
0003728970.tif 000007
【図７】
0003728970.tif 000008
【図８】
0003728970.tif 000009
【図９】
0003728970.tif 000010